【事件の表示】
　特願２００２−１８７８２３号「液晶表示装置（ＬＣＤ）のバックライト用ランプワイヤ設置構造」拒絶査定不服審判事件〔平成１５年　３月　７日出願公開、特開２００３−６８１２５号〕について、次のとおり審決する。
【結　論】
　本件審判の請求は、成り立たない。
【理　由】
第１　手続の経緯  
　本件出願は、平成１４年　６月２７日の出願（パリ条約による優先権主張２００１年　７月１１日、韓国）であって、平成１９年　３月１４日付けで拒絶査定がなされ、これに対して、平成１９年　５月２８日に拒絶査定不服審判が請求されるとともに、平成１９年　６月２２日付けで手続補正がなされたものである。 
　 
第２　平成１９年　６月２２日付けの手続補正についての補正却下の決定
［補正却下の決定の結論］ 
　平成１９年　６月２２日付けの手続補正を却下する。 
　 
［理　由］ 
１．　補正後の請求項１に記載された発明 
　平成１９年　６月２２日付けの手続補正（以下「本件補正」という。）により、特許請求の範囲の請求項１は、 
　「液晶パネルと、前記液晶パネルの背面から液晶パネルに光を放出する光源としてランプを含むモールドフレームを備えるバックライトアセンブリとを含むＬＣＤモジュールにおいて、 
　前記モールドフレームは、一方の角部から所定の距離だけ内側に離隔した位置に、前記ランプ両端に接続される一対のワイヤを共に挿入して支持するための引出口を有し、前記引出口を介して挿入された前記
一対の
前記一対のワイヤが前記モールドフレーム内に設けられた収容溝を通って前記引出口の両側から
通って
　 
　上記補正は、補正前の請求項１に記載された発明を特定するために必要な事項である、「ワイヤ」における配置構成に対して、「一対のワイヤの各々がモールドフレーム内で複数回折り曲げ」られるという限定、及び「一対のワイヤがモールドフレーム内に設けられた収容溝を通って引出口の両側から引出口を通って外部に引き出される」という限定をそれぞれ付加するものであって、平成１８年法律第５５号改正附則第３条第１項によりなお従前の例によるとされる同法による改正前の特許法第１７条の２第４項第２号の特許請求の範囲の減縮を目的とするものに該当する。 
　 
　そこで、本件補正後の請求項１に記載された発明（以下「本願補正発明」という。）が、特許出願の際独立して特許を受けることができるものであるか（平成１８年法律第５５号改正附則第３条第１項によりなお従前の例によるとされる同法による改正前の特許法第１７条の２第５項において準用する特許法第１２６条第５項の規定に適合するか）について以下に検討する。
　 
２．　引用刊行物  
　原査定の拒絶の理由に引用された、特開２０００−２７５６３５号公報（以下「刊行物１」という。）、特開平５−６６３９０号公報（以下「刊行物２」という。）には、それぞれ次の技術的事項が記載されている。  
　  
（１）　刊行物１の記載内容  
　（ア）　「【特許請求の範囲】 
【請求項１】２枚の基板の間に液晶層を挟持した液晶パネルと、前記液晶パネルの背面に拡散シートとプリズムシートを介して設置したバックライトと、 
前記バックライトを反射シートを介して収納するモールドケースと、前記液晶パネルの有効表示領域を露呈する額縁を形成すると共に前記モールドケース側に延びる側壁を有する金属フレームとを有し、 
前記バックライトが略矩形形状の透明板からなる導光板と、この導光板の１辺に沿って設置した線状ランプとから構成され、 
前記導光板の前記線状ランプと直交する２辺に設けた係止突起であって、少なくとも前記線状ランプに対向する側面に傾斜面を持つ係止突起を有すると共に、前記導光板の前記線状ランプと対向する前記１辺のコーナー部に、当該コーナー部で隣接する２辺に交差する直線に沿って切断した切欠きを設けたことを特徴とする液晶表示装置。」 
　 
　（イ）　「【０００１】 
【発明の属する技術分野】本発明は、液晶表示装置に係り、特に、液晶パネルとバックライトを備え、軽量かつ狭額縁化に対応した液晶表示装置に関する。」 
　 
　（ウ）　「【０１１３】図１９は本発明による液晶表示装置の実施例の構造を説明する線状ランプ設置部分の要部断面図、図２０は本発明による液晶表示装置の実施例の構造を説明する線状ランプ設置部分の対辺の要部断面図である。液晶表示装置は液晶パネルＰＮＬ、導光板ＧＬＢ、金属フレームＳＨＤ、モールドケースＭＣＡを積層し固定して構成される。」
　 
　（エ）　「【０１１４】液晶パネルＰＮＬは、その両面に偏光板が貼付されており、導光板ＧＬＢとの間に拡散シートとプリズムシートからなる光学シートＳＰＳ／ＰＲＳが介挿れている。導光板ＧＬＢはモールドケースＭＣＡの保持されており、その背面には反射シートＲＦＳが設置されている。 
【０１１５】反射シートＲＦＳは線状ランプＬＰの下面および導光板ＧＬＢとは反対側の側面まで折り曲げられており、線状ランプＬＰのランプ反射板としての機能も有する。なお、線状ランプＬＰの上方には別体の反射シートＲＦＳＳが設置されている。 
【０１１６】ランプケーブルＬＰＣ（ここではＬＰＣ−Ｎ）はモールドケースＭＣＡに形成した溝を引回して高圧側のランプケーブルＬＰＣ−Ｐと共に外部に引き出される。」 
　 
　（オ）　「【０１１９】図２１はモールドケースへの線状ランプと導光板の収納とランプケーブルの引き回し状態を説明する部分図であり、（ａ）は平面図、（ｂ）は（ａ）を矢印Ａ方向からみた側面図を示す。 
【０１２０】導光板ＧＬＢのコーナー部には切欠きＣＣＴ１が形成されており、線状ランプＬＰの電極ＥＬＤに取り付けた高圧側のランプケーブルＬＰＣ−Ｐを導光板ＧＬＢの切欠きで形成される空間を引回すことによって、モールドケースＭＣＡの線状ランプＬＰの長手方向サイズを低減することができる。 
【０１２１】なお、接地側のランプケーブルＬＰＣ−Ｎは高圧側のランプケーブルＬＰＣ−Ｐの下方を引き回して外部に引き出す。 
【０１２２】さらに、線状ランプＬＰの電極部分にはゴムブッシュＧＢが装着されており、電極部分の安定保持と導光板ＧＬＢの上方に設置される拡散シートの保持固定を行っている。」 
　 
　ここで、上記記載事項（ア）〜（オ）及び第１９〜２１図面に記載された事項から次のことが明らかである。 
　・刊行物１に記載されたものが、「線状ランプＬＰ両端に接続される一対のランプケーブルＬＰＣ−Ｎ，ＬＰＣ−Ｐを共に挿入して支持可能な引出口」を有する構成であること。
　 
　・刊行物１に記載されたものが、「引出口を介して挿入されたランプケーブルＬＰＣ−ＮがモールドケースＭＣＡ内で複数回折り曲げられた」構成であること。
　 
　すると、刊行物１には、次の発明（以下「引用発明」という。）が開示されているものということができる。  
　「液晶パネルＰＮＬと、液晶パネルＰＮＬの背面から液晶パネルＰＮＬに光を放出する光源として線状ランプＬＰを含むモールドケースＭＣＡを備えたバックライトとを含む液晶表示装置において、 
　モールドケースＭＣＡは、一方の角部の位置に、線状ランプＬＰ両端に接続される一対のランプケーブルＬＰＣ−Ｎ，ＬＰＣ−Ｐを共に挿入して支持可能な引出口を有し、前記引出口を介して挿入された一対のランプケーブルの一方（ＬＰＣ−Ｎ）がモールドケースＭＣＡ内で複数回折り曲げられた後、前記一対のランプケーブルの一方（ＬＰＣ−Ｎ）がモールドケースＭＣＡ内に設けられた溝を通って引出口の片側から引出口を通って外部へ引出されるよう引出口を設けた液晶表示装置のランプケーブル設置構造。」 
　 
（２）　刊行物２の記載内容 
　（ア）　「【００２１】図示の如く、本実施例の液晶表示装置は、主要構成部材として、液晶表示板１１と、液晶表示板１１を後方から照明する照明装置１２と、これを支持する金属製の支持枠１３とを備えている。 
【００２２】前記照明装置１２は、液晶表示板１１の後方で液晶表示板１１に平行に配された導光板２１と、該導光板２１の端部に配された光源２２とを備えている。 
【００２３】前記支持枠１３の四隅部に、電気的絶縁性を有する保持部材３１ａ〜３１ｄが設けられ、該保持部材３１ａ〜３１ｄを支持枠１３に係合する係合手段３２と、前記液晶表示板１１を保持部材３１ａ〜３１ｄに位置決めする液晶表示板位置決め手段３３と、前記導光板２１を保持部材３１ａ〜３１ｄに位置決めする導光板位置決め手段３４と、前記光源２２を保持部材３１ａ〜３１ｄに位置決めする光源位置決め手段３５と、光源２２の入出力リード線２２ａを支持枠１３内で固定するリード線固定手段３６とを備えている。さらに、光源２２の入出力リード線２２ａを束ねて外部へ引き出すリード線引出案内手段３７が設けられている。」 
　 
　（イ）　「【００２６】前記光源２２は、一対の直管型の冷陰極管（ＣＣＦＴ）が使用され、その両端部には図２の如く、電極部を絶縁するゴム製の保護ベース４１が取付けられている。該保護ベース４１の外周には、図７の如く、前記光源位置決め手段３５と係合するための弾性を有する一対の突起４２が形成されている。該光源２２の両端部からは、図２の如く、入出力リード線２２ａが引き出され、外部の電極に接続される。」 
　 
　（ウ）　「【００３６】前記リード線引出案内手段３７は、図４，９の如く、第三保持部材３１ｃに形成された複数（例えば５本）のリブ６５と、図１０の如く、該リブ６５間の間隙から引き出された入出力リード線２２ａを束状態のまま前後に押えつけて固定するブツシング６６とからなる。 
【００３７】前記リブ６５は、第三保持部材３１ｃ付近、すなわち、リード線２２ａの引き出し位置での絡まりを防止するもので、前記ブツシング６６に対応する位置に前方へ櫛状に突設されている。 
【００３８】前記ブツシング６６は、図１０の如く、メス部６７とオス部６８とがヒンジ部６９を介して開閉自在とされ、両部６７，６８は嵌合用リブ７０ａおよび嵌め込み孔７０とが嵌合することにより連結し、入出力リード線２２ａを保持する。該ブツシングは、リード線２２ａを損傷しないよう、ナイロン等の合成樹脂が使用されている。該ブツシング６６のメス部６７の外周面には、支持枠１３の側壁７１に係合する係合溝７２が形成されている。」 
　 
　ここで、上記記載事項（ア）〜（ウ）、及び第９、第１０図面に記載された事項から次のことが明らかである。 
　・刊行物２に記載の「支持枠１３」は、角部に、所定の幅寸法を備えた短手側面壁７１を有するものであるから、「一方の角部から短手側面壁７１だけ内側に離隔した位置に、光源２２としての冷陰極管両端から引き出される一対の入出力リード線２２ａを挿入して支持可能な引出口」を有すること。
　 
　・したがって、上記刊行物２に記載されたものが、「液晶表示板１１と、液晶表示板１１を後方から照明する、光源２２として冷陰極管を含む照明装置１２、及び支持枠１３を備える液晶表示装置において、 
　支持枠１３は、一方の角部から短手側面壁７１だけ内側に離隔した位置に、光源２２としての冷陰極管両端から引き出される一対の入出力リード線２２ａを挿入して支持可能な引出口を設けた液晶表示装置。」であることは明らかである。 
　 
３．　本願補正発明と引用発明との対比  
（１）　両発明の対応関係  
　・引用発明における「液晶パネルＰＮＬ」は、本願補正発明における「液晶パネル」に相当するものである。以下同様に、「線状ランプＬＰ」は「ランプ」に、「モールドケースＭＣＡ」は「モールドフレーム」に、「バックライト」は「バックライトアセンブリ」に、「液晶表示装置」は「ＬＣＤモジュール」に、「ランプケーブルＬＰＣ」は「ワイヤ」に、「溝」は「収容溝」にそれぞれ相当するものである。 
　 
　・引用発明の「モールドケースＭＣＡは、一方の角部の位置に、線状ランプＰＮＬ両端に接続される一対のランプケーブルＬＰＣ−Ｎ，ＬＰＣ−Ｐを共に挿入して支持可能な引出口を有し、」という構成と、本願補正発明の「前記モールドフレームは、一方の角部から所定の距離だけ内側に離隔した位置に、前記ランプ両端に接続される一対のワイヤを共に挿入して支持するための引出口を有し、」という構成は、 
　「モールドフレームは、ランプ両端に接続される一対のワイヤを共に挿入して支持する引出口を有し、」という構成である点で共通している。 
　 
　・引用発明の「前記引出口を介して挿入された一対のランプケーブルの一方（ＬＰＣ−Ｎ）がモールドケースＭＣＡ内で複数回折り曲げられた後、」と、本願補正発明の「前記引出口を介して挿入された前記一対のワイヤの各々がモールドフレーム内で複数回折り曲げられた後、」とは、
　「引出口を介して挿入された一方のワイヤがモールドフレーム内で複数回折り曲げられた後、」という構成である点で共通している。 
　 
　・引用発明の「一対のランプケーブルの一方（ＬＰＣ−Ｎ）がモールドケースＭＣＡ内に設けられた溝を通って引出口から引出口を通って外部へ引出されるよう引出口を設けた液晶表示装置」と、本願補正発明の「一対のワイヤが前記モールドフレーム内に設けられた収容溝を通って前記引出口の両側から前記引出口を通って外部に引き出されるように前記引出口を設けることを特徴とする液晶表示装置（ＬＣＤ）」とは、 
　「一方のワイヤがモールドフレーム内に設けられた収容溝を通って引出口から引出口を通って外部に引き出されるように引出口を設けた液晶表示装置（ＬＣＤ）のバックライト用ランプワイヤ設置構造」である点で共通している。 
　 
（２）　両発明の一致点  
　「液晶パネルと、液晶パネルの背面から液晶パネルに光を放出する光源としてランプを含むモールドフレームを備えるバックライトアセンブリとを含むＬＣＤモジュールにおいて、 
　モールドフレームは、ランプ両端に接続される一対のワイヤを共に挿入して支持する引出口を有し、引出口を介して挿入された一方のワイヤがモールドフレーム内で複数回折り曲げられた後、一方のワイヤがモールドフレーム内に設けられた収容溝を通って引出口から引出口を通って外部に引き出されるように引出口を設けた液晶表示装置（ＬＣＤ）のバックライト用ランプワイヤ設置構造。」 
　 
（３）　両発明の相違点  
　（ア）　「引出口」の形成位置について、本願補正発明のものが、「一方の角部から所定の距離だけ内側に離隔した位置」であるのに対して、引用発明のものは、「一方の角部」である点。 
　 
　（イ）　「ワイヤ」の配置構成について、本願補正発明のものが、「引出口を介して挿入された一対のワイヤの各々がモールドフレーム内で複数回折り曲げられた」構成であるのに対して、引用発明のものは、一方のワイヤだけが複数回折り曲げられているが、一対のワイヤが共に複数回折り曲げられてはいない点。 
　 
　（ウ）　「ワイヤ」の配置構成について、本願補正発明のものが、「一対のワイヤがモールドフレーム内に設けられた収容溝を通って引出口の両側から引出口を通って外部に引き出される」構成であるのに対して、引用発明のものは、「一対のワイヤの一方（ＬＰＣ−Ｎ）がモールドフレーム内に設けられた収容溝を通って引出口の片側から引出口を通って外部へ引出される」構成であって、一対のワイヤのうちの他方のワイヤは、「引出口」を通って外部へ引出される構成であるが、「収容溝」を通る構成ではない点。 
　 
４．　容易推考性の検討  
（１）　上記相違点（ア）について 
　前記「２．　引用刊行物」で認定したとおり、刊行物２には、液晶表示板１１と、液晶表示板１１を後方から照明する、光源２２として冷陰極管を含む照明装置１２、及び支持枠１３を備える液晶表示装置において、 
　支持枠１３は、一方の角部から短手側面壁７１だけ内側に離隔した位置に、光源２２としての冷陰極管両端から引き出される一対の入出力リード線２２ａを挿入して支持可能な引出口を設けた液晶表示装置が記載されている。
　
　よって、引用発明の液晶表示装置（ＬＣＤ）における引出口を、刊行物２に記載の技術事項に基づいて、一方の角部から所定の距離だけ内側に離隔した位置に配置することにより、本願補正発明の上記相違点（ア）に係る構成とすることは当業者が容易になし得たことと認められる。 
　 
（２）　上記相違点（イ）について 
　モールドフレームにおいて、ランプ両端に接続された一対のワイヤのそれぞれを、モールドフレーム内で複数回折り曲げて配置することにより、ランプとワイヤ間の断線及びランプの損傷を防止することは、従来より周知な構成であると認められる（必要であれば、特開平１０−１８８６３９号公報；第９図面、段落【０００６】、【０００７】等参照、特開平９−２５９６２５号公報；第５、第６図面、段落【００５１】等参照）。 
　 
　したがって、引用発明におけるワイヤに対し、本願補正発明の相違点（ア）に係る構成とするに際して、上記周知技術に基づき、一方のワイヤのみでなく、ランプ両端に接続された一対のワイヤのそれぞれを、モールドフレーム内で複数回折り曲げて配置することにより、本願補正発明の上記相違点（イ）に係る構成とすることは当業者が適宜設定し得た設計的事項であると認められる。 
　 
（３）　上記相違点（ウ）について 
　引用発明におけるワイヤに対し、本願補正発明の相違点（ア）の構成とするに際して、引用発明の他方のワイヤについても一方のワイヤと同様に、モールドフレーム内に設けられた収容溝を通り、引出口を通って外部へ引出される構成とすることは、当業者が適宜なし得る設計事項にすぎない。
　よって、本願補正発明の上記相違点（ウ）に係る構成は当業者が容易になし得たものであると認められる。 
　 
（３）　まとめ 
　本願補正発明の作用効果は、引用発明、刊行物２に記載の事項、及び上記周知技術から、当業者であれば予測できた範囲のものである。  
　すると、本願補正発明は、引用発明、刊行物２に記載の事項、及び上記周知技術に基づいて当業者が容易に発明をすることができたものということができる。 
　  
５．　むすび  
　以上のとおり、本願補正発明は、特許法第２９条第２項の規定により特許出願の際独立して特許を受けることができないものであるから、本件補正は、平成１８年改正前特許法第１７条の２第５項において準用する特許法第１２６条第５項の規定に違反するものというべきであり、同法第１５９条第１項において読み替えて準用する同法第５３条第１項の規定により却下を免れない。  
　  
第３　本願発明について  
１．　本願発明  
　平成１９年　６月２２日付けの手続補正は、上記のとおり却下されたので、本件出願の請求項１に係る発明（以下「本願発明」という。）は、平成１９年　２月　９日付けで手続補正された明細書における特許請求の範囲の請求項１に記載された次のとおりのものである。 
　「液晶パネルと、前記液晶パネルの背面から液晶パネルに光を放出する光源としてランプを含むモールドフレームを備えるバックライトアセンブリとを含むＬＣＤモジュールにおいて、 
　前記モールドフレームは、一方の角部から所定の距離だけ内側に離隔した位置に、前記ランプ両端に接続される一対のワイヤを共に挿入して支持するための引出口を有し、前記引出口を介して挿入された前記ワイヤがモールドフレーム内で複数回折り曲げられた後、前記引出口を介して外部に引き出されるように前記引出口を設けることを特徴とする液晶表示装置（ＬＣＤ）のバックライト用ランプワイヤ設置構造。」 
　 
２．　引用刊行物  
　原査定の拒絶の理由に引用された刊行物１、２とその記載事項は、前記の「第２　２．」に記載したとおりである。  
　  
３．　対比・判断  
　本願発明の構成を全て含むとともに、当該発明の構成に更に限定を付加した本願補正発明が、前記「第２　３．」以下に記載したとおり、刊行物１、２に記載された発明に基づいて当業者が容易に発明をすることができたものであるから、本願発明も、同様の理由により、当業者が容易に発明をすることができたものである。 
　  
４．　むすび 
　以上のとおりであるから、本願発明については、特許法第２９条第２項の規定により特許を受けることができない。
　そうすると、このような特許を受けることができない発明を包含する本願は、本願の他の請求項に係る発明について検討するまでもなく拒絶されるべきものである。
　よって、結論のとおり審決する。